(57)【要約】      （修正有）【課題】蓋付きマイクロチューブ群を格納トレイに整然と格納し、且つ格納トレイから各群を容易に取り出すことができる蓋付きマイクロチューブ群と、この複数の蓋付きマイクロチューブ群を一括して収納できる蓋付きマイクロチューブ群格納トレイを提供する。【解決手段】蓋付きマイクロチューブ群１は、マイクロチューブ本体２と、マイクロチューブ本体２の開口部を閉じる蓋体６とを一体に取り付けた構造の蓋付きマイクロチューブ７を連結片で複数連結し、マイクロチューブ本体２の開口部の側面には、蓋体６が存在する側の反対側に突出片１１を突出させた。この蓋付きマイクロチューブ群１を格納する蓋付きマイクロチューブ群格納トレイ１２は、上面と、その周囲に下向きに一体に設けられた立ち上がり周壁部１４とを備え、上面には蓋付きマイクロチューブ群１のマイクロチューブ本体２を収納する複数のマイクロチューブ本体群収納溝１５を間隔をあけて併設し、マイクロチューブ本体群収納溝１５の幅方向の側壁には蓋付きマイクロチューブ群１の蓋体６を支える蓋支え段面１６を設けた。【選択図】図５
0003156819.tif 000002
【実用新案登録請求の範囲】
【請求項１】
有底で筒状をしたマイクロチューブ本体と、そのマイクロチューブ本体の開口部の側面に屈曲可能なヒンジ部を介して蓋体とが一体に取り付けられた構造の蓋付きマイクロチューブの複数が、一方側に前記各マイクロチューブ本体が並び、反対側に前記各蓋体が並ぶようにして併設され、隣接する前記各マイクロチューブ本体が連結片で連結されている蓋付きマイクロチューブ群であって、前記各マイクロチューブ本体の前記開口部の側面には、前記各蓋体が存在する側の反対側に突出片がそれぞれ突出されていることを特徴とする蓋付きマイクロチューブ群。
【請求項２】
前記蓋体の内面の凹部に乾燥試薬が担持されていることを特徴とする請求項１に記載の蓋付きマイクロチューブ群。
【請求項３】
上面と、その周囲に下向きに一体に設けられた立ち上がり周壁部とを備え、前記上面には前記請求項１又は２に記載の前記蓋付きマイクロチューブ群の前記各マイクロチューブ本体の群をそれぞれ収納する複数のマイクロチューブ本体群収納溝が相互間に間隔をあけて併設され、前記各マイクロチューブ本体群収納溝の幅方向の片側壁には前記蓋付きマイクロチューブ群の前記各蓋体を支える各蓋体支え段面がそれぞれ設けられていることを特徴とする蓋付きマイクロチューブ群格納トレイ。
【請求項４】
前記各マイクロチューブ本体群収納溝の各溝壁の頂部に、前記請求項１又は２に記載の前記蓋付きマイクロチューブ群の一部の前記突出片に対応する取り出し凹部がそれぞれ設けられていることを特徴とする請求項３に記載の蓋付きマイクロチューブ群格納トレイ。
【請求項５】
前記各マイクロチューブ本体群収納溝の幅方向の両側壁には、前記請求項１又は２に記載の前記蓋付きマイクロチューブ群の一部の隣接する前記突出片の間に、また一部の隣接する前記蓋体の間にそれぞれ挿入して蓋付きマイクロチューブ群の位置決めをする位置決め部が設けられていることを特徴とする請求項３又は４に記載の蓋付きマイクロチューブ群格納トレイ。
【請求項６】
前記立ち上がり側壁部には、上下に前記トレイを重ねて下側の前記トレイの上面を嵌める嵌め合わせ部が設けられていることを特徴とする請求項３，４又は５のいずれか１項に記載の蓋付きマイクロチューブ群格納トレイ。
【考案の詳細な説明】
【技術分野】
【０００１】
本考案は、試料微量分析、例えばＤＮＡ（デオキシリボ核酸）抽出試験等に用いる蓋付きマイクロチューブの複数を列をなして一体に連結した蓋付きマイクロチューブ群と、この蓋付きマイクロチューブ群の複数を収納する蓋付きマイクロチューブ群格納トレイに関するものである。
【背景技術】
【０００２】
従来の蓋付きマイクロチューブとして、有底で筒状をしたマイクロチューブ本体と、そのマイクロチューブ本体の開口部の側面に屈曲可能なヒンジ部を介して蓋とが一体に取り付けられた構造をしており、かかる構造の蓋付きマイクロチューブの複数が、一方側に前記各マイクロチューブ本体が並び、反対側に前記各蓋が並ぶようにして併設され、隣接する前記各マイクロチューブ本体が連結片で連結された蓋付きマイクロチューブ群が開示されている。かかる蓋付きマイクロチューブは、マイクロチューブ本体の底部を構成する先細部の内部に試薬を担持している（例えば、特許文献１参照。）。
【先行技術文献】
【特許文献】
【０００３】
【特許文献１】特開２００８−２０００２８号公報
【考案の概要】
【考案が解決しようとする課題】
【０００４】
しかしながら、特許文献１で開示されている従来の蓋付きマイクロチューブ群は、この蓋付きマイクロチューブ群を格納する専用のトレイが無く、そのため、公知の一般的なトレイに格納しようとしたとき、整然と格納することが難しく、また取り出しも面倒であるといった問題があった。
また、試料の分析等に用いる試薬をマイクロチューブ本体の底部を構成する先細部の内部に試薬を担持させているが、マイクロチューブ本体は細長く形成されているため、試薬をマイクロチューブ本体の底部に担持させる作業は非常に面倒であるといった問題があった。
本考案の目的は、蓋付きマイクロチューブ群を格納トレイに整然と格納し、且つ格納トレイから各群を容易に取り出すことができる蓋付きマイクロチューブ群を提供することにある。
本考案の他の目的は、試料の分析等に用いる試薬を容易に担持させることのできる蓋付きマイクロチューブ群を提供することにある。
本考案の他の目的は、複数の蓋付きマイクロチューブ群を一括して収納できる蓋付きマイクロチューブ群格納トレイを提供することにある。
【課題を解決するための手段】
【０００５】
上記の目的を達成するために、請求項１に記載の蓋付きマイクロチューブ群は、有底で筒状をしたマイクロチューブ本体と、そのマイクロチューブ本体の開口部の側面に屈曲可能なヒンジ部を介して蓋体とが一体に取り付けられた構造の蓋付きマイクロチューブの複数が、一方側に前記各マイクロチューブ本体が並び、反対側に前記各蓋体が並ぶようにして併設され、隣接する前記各マイクロチューブ本体が連結片で連結されている蓋付きマイクロチューブ群であって、前記各マイクロチューブ本体の前記開口部の側面には、前記各蓋体が存在する側の反対側に突出片がそれぞれ突出されていることを特徴とする。
【０００６】
請求項２に記載の蓋付きマイクロチューブ群は、請求項１に記載の、前記蓋体の内面の凹部に乾燥試薬が担持されていることを特徴とする。
【０００７】
請求項３に記載の蓋付きマイクロチューブ群格納トレイは、上面と、その周囲に下向きに一体に設けられた立ち上がり周壁部とを備え、前記上面には前記請求項１又は２に記載の前記蓋付きマイクロチューブ群の前記各マイクロチューブ本体の群をそれぞれ収納する複数のマイクロチューブ本体群収納溝が相互間に間隔をあけて併設され、前記各マイクロチューブ本体群収納溝の幅方向の片側壁には前記蓋付きマイクロチューブ群の前記各蓋体を支える各蓋体支え段面がそれぞれ設けられていることを特徴とする。
【０００８】
請求項４に記載の蓋付きマイクロチューブ群格納トレイは、請求項３に記載の、前記各マイクロチューブ本体群収納溝の各溝壁の頂部に、前記請求項１又は２に記載の前記蓋付きマイクロチューブ群の一部の前記突出片に対応する取り出し凹部がそれぞれ設けられていることを特徴とする。
【０００９】
請求項５に記載の蓋付きマイクロチューブ群格納トレイは、請求項３又は４に記載の、前記各マイクロチューブ本体群収納溝の幅方向の両側壁には、前記請求項１又は２に記載の前記蓋付きマイクロチューブ群の一部の隣接する前記突出片の間に、また一部の隣接する前記蓋体の間にそれぞれ挿入して蓋付きマイクロチューブ群の位置決めをする位置決め部が設けられていることを特徴とする。
【００１０】
請求項６に記載の蓋付きマイクロチューブ群格納トレイは、請求項３，４又は５のいずれか１項に記載の、前記立ち上がり側壁部には、上下に前記トレイを重ねて下側の前記トレイの上面を嵌める嵌め合わせ部が設けられていることを特徴とする。
【考案の効果】
【００１１】
請求項１に記載の蓋付きマイクロチューブ群によれば、有底で筒状をしたマイクロチューブ本体と、そのマイクロチューブ本体の開口部の側面に屈曲可能なヒンジ部を介して蓋体とが一体に取り付けられた構造の蓋付きマイクロチューブの複数が、一方側に前記各マイクロチューブ本体が並び、反対側に前記各蓋体が並ぶようにして併設され、隣接する前記各マイクロチューブ本体が連結片で連結されている蓋付きマイクロチューブ群であって、前記各マイクロチューブ本体の前記開口部の側面には、前記各蓋体が存在する側の反対側に突出片がそれぞれ突出されているので、これら各蓋体と反対側の各突出片とを利用することによりマイクロチューブ群を吊り下げ状態で支持させることができる。
【００１２】
また、蓋付きマイクロチューブ群を後述する蓋付きマイクロチューブ群格納トレイに、各蓋体と反対側の各突出片を利用して格納した際には、蓋付きマイクロチューブ群を格納した状態で、蓋付きマイクロチューブ群格納トレイにおける各マイクロチューブ本体群収納溝の各溝壁の頂部に、前記蓋付きマイクロチューブ群の一部の前記突出片に対応する取り出し凹部がそれぞれ設けられているので、この取り出し凹部に指を入れて前記突出片を上げることにより蓋付きマイクロチューブ群を容易に蓋付きマイクロチューブ群格納トレイから取り出すことができる。
【００１３】
請求項２に記載の蓋付きマイクロチューブ群によれば、請求項１に記載の、乾燥試薬が前記蓋体の内面の凹部に担持されているので、試薬の管理、試験作業が容易であり、また、試薬を担持させる作業も容易に行うことができる。
【００１４】
請求項３に記載の蓋付きマイクロチューブ群格納トレイによれば、上面と、その周囲に下向きに一体に設けられた立ち上がり側壁部とを備え、前記上面には前記請求項１又は２に記載の前記蓋付きマイクロチューブ群の前記各マイクロチューブ本体の群をそれぞれ収納する複数のマイクロチューブ本体群収納溝が相互間に間隔をあけて併設され、前記各マイクロチューブ本体群収納溝の幅方向の片側壁には前記蓋付きマイクロチューブ群の前記各蓋体を支える各蓋体支え段面がそれぞれ設けられているので、請求項１又は２に記載の蓋付きマイクロチューブ群を容易に且つ整然と格納することができる。
【００１５】
請求項４に記載の蓋付きマイクロチューブ群格納トレイによれば、請求項３に記載の、前記各マイクロチューブ本体群収納溝の各溝壁の頂部に、前記請求項１又は２に記載の前記蓋付きマイクロチューブ群の一部の前記突出片に対応する取り出し凹部がそれぞれ設けられているので、この突出片に対応した取り出し凹部に指を入れて突出片を上げることにより蓋付きマイクロチューブ群を容易に蓋付きマイクロチューブ群格納トレイから取り出すことができる。 
【００１６】
請求項５に記載の蓋付きマイクロチューブ群格納トレイによれば、請求項３又は４に記載の、前記各マイクロチューブ本体群収納溝の幅方向の両側壁には、前記請求項１又は２に記載の前記蓋付きマイクロチューブ群の一部の隣接する前記突出片の間に、また一部の隣接する前記蓋体の間にそれぞれ挿入して蓋付きマイクロチューブ群の位置決めをする位置決め部が設けられているので、これら位置決め部を利用することにより蓋付きマイクロチューブ群をマイクロチューブ本体群収納溝内で容易に位置決めすることができ、整然と格納することができる。
【００１７】
請求項６に記載の蓋付きマイクロチューブ群格納トレイによれば、請求項３，４又は５のいずれか１項に記載の、 前記立ち上がり周壁部には、上下に前記トレイを重ねて下側の前記トレイの上面を嵌める嵌め合わせ部が設けられているので、蓋付きマイクロチューブ群を格納した状態で、各トレイを重ねて置くことができる。
【図面の簡単な説明】
【００１８】
【図１】本考案に係る蓋付きマイクロチューブ群の一実施例で、蓋を開けた状態の一部省略斜視図である。
【図２】本実施例の蓋付きマイクロチューブ群の蓋を閉じた状態の側面図である。
【図３】本考案に係る蓋付きマイクロチューブ群格納トレイの一実施例の平面図である。
【図４】図３の側面図である。
【図５】本実施例の蓋付きマイクロチューブ群格納トレイに本実施例の蓋付きマイクロチューブ群を収納した状態の平面図である。
【図６】図５の一部拡大図である。
【図７】図５のＡ−Ａ線端面図である。
【図８】図５のＢ−Ｂ線端面図である。
【図９】本実施例の蓋付きマイクロチューブ群格納トレイを重ね合わせた状態の側面図である。
【考案を実施するための形態】
【００１９】
以下、本考案に係る蓋付きマイクロチューブ群及び蓋付きマイクロチューブ群格納トレイを図面に示した実施例により詳細に説明する。
【００２０】
まず、本実施例の蓋付きマイクロチューブ群の構造について、図１及び図２を参照して詳細に説明する。図１は本実施例の蓋付きマイクロチューブ群の蓋を開けた状態の一部省略斜視図、図２は本実施例の蓋付きマイクロチューブ群の蓋を閉じた状態の側面図である。
【００２１】
図１に示すように本実施例の蓋付きマイクロチューブ群１は、有底で円筒状をしたマイクロチューブ本体２と、そのマイクロチューブ本体２の開口部３の端部外周にフランジ部４が突設され、このフランジ部４の側面に屈曲可能なヒンジ部５ａを有する接続片５を介して蓋体６とが一体に取り付けられた構造をしている構造の蓋付きマイクロチューブ７の複数本（本例では、図示しないが８本）が、一方側に各マイクロチューブ本体２が一列に並び、反対側に各蓋６が一列に並ぶようにして併設され、隣接する各マイクロチューブ本体２が連結片８でそれぞれ連結された構造になっている。
【００２２】
各蓋体６は、マイクロチューブ本体２の開口部３に嵌めて取り付けられた状態で上部となる部分が閉じた有底の短い筒状をしていて、これら蓋体６の開口部９の外周の部分は、対応するマイクロチューブ本体２の開口部３にきつく嵌って、これら蓋６体の開口部９を密封するようになっている。これら蓋体６の各ヒンジ部５が接続する部分の外周には、フランジ部１０がそれぞれ突設されている。各蓋体６が対応するマイクロチューブ本体２の開口部３に嵌った状態で、各フランジ部１０が各マイクロチューブ本体２の開口部３の端面に当接するようになっている。これら有底の短い筒状をしている蓋体６の開口部９の内面の凹部には、図示しないが、試料の分析等に用いる乾燥試薬がそれぞれ担持されている。また、各マイクロチューブ本体２の開口部３の側面には、各、前記各マイクロチューブ本体の前記開口部の側面には、各蓋体６が存在する側とは反対側に舌片状の突出片１１がそれぞれ突出されている。このような蓋付きマイクロチューブ群１は透明な合成樹脂で形成されている。
【００２３】
図２に示すように、本実施例の蓋付きマイクロチューブ群１では、各接続片５のヒンジ部５ａを曲げて、各蓋体６を各マイクロチューブ本体２の開口部３を閉じた状態を示している。この状態で、各蓋体６の開口部９の外周の部分は、対応するマイクロチューブ本体２の開口部３にきつく嵌って、これらマイクロチューブ本体２の開口部３を密封する。
【００２４】
このような蓋付きマイクロチューブ群１によれば、蓋付きマイクロチューブ７の複数が、一方側に各マイクロチューブ本体２が一列に並び、反対側に各蓋６が一列に並ぶようにして併設され、隣接する各マイクロチューブ本体２が連結片８で連結されており、各マイクロチューブ本体２の開口部３の両側面に各蓋体６と突出片１１が存在するので、各蓋体６と各突出片１１を利用してマイクロチューブ本体２を吊り下げ支持させることができる。
【００２５】
また、蓋付きマイクロチューブ群１を後述する蓋付きマイクロチューブ群格納トレイ１２に、これら各蓋体６と反対側の各突出片１１とを利用して収納した際には、蓋付きマイクロチューブ群１を格納した状態で、蓋付きマイクロチューブ群格納トレイ１２における各マイクロチューブ本体群収納溝１５の各溝壁１７の頂部１７ｃに、蓋付きマイクロチューブ群１の一部の突出片１１に対応する取り出し凹部１８がそれぞれ設けられているので、この取り出し凹部１８に指を入れて突出片１１を上げることにより蓋付きマイクロチューブ群１を容易に蓋付きマイクロチューブ群格納トレイ１２から取り出すことができる。
【００２６】
また、有底の短い筒状をしている各蓋体６の開口部９の内面の凹部に試料の分析等に用いる乾燥試薬がそれぞれ担持されているので、試薬の管理、試験作業が容易であり、また、試薬を担持させる作業も容易に行うことができる。
【００２７】
次に、本実施例の蓋付きマイクロチューブ群格納トレイの構造について、図３乃至図９を参照して詳細に説明する。図３は実施例の蓋付きマイクロチューブ群格納トレイの平面図、図４は図３の側面図、図５は本実施例の蓋付きマイクロチューブ群格納トレイに本実施例の蓋付きマイクロチューブ群を収納した状態の平面図、図６は図５の一部拡大図、図７は図５のＡ−Ａ線端面図、図８は図５のＢ−Ｂ線端面図、図９は本実施例の蓋付きマイクロチューブ群格納トレイを重ね合わせた状態の側面図である。
【００２８】
本実施例の蓋付きマイクロチューブ群格納トレイ１２は、透明な合成樹脂板で一体成形された上面１３と、その周囲に下向きに一体に設けられた立ち上がり周壁部１４とを備えている。上面１３には、図１に示す前記した蓋付きマイクロチューブ群１の各マイクロチューブ本体２の群をそれぞれ収納する複数のＶ溝からなる直線状のマイクロチューブ本体群収納溝１５が相互間に間隔をあけて併設されている。各マイクロチューブ本体群収納溝１５の溝の深さは、各マイクロチューブ本体２を収容した状態で、各マイクロチューブ本体２の底部が当接する深さになっている。各マイクロチューブ本体群収納溝１５の片側には、蓋付きマイクロチューブ群１の各蓋体６を支える各蓋支え段面１６がそれぞれ設けられている。
【００２９】
また、各マイクロチューブ本体群収納溝１５の各溝壁１７の頂部１７ｃには、蓋付きマイクロチューブ群１の一部の突出片１１に対応する取り出し凹部１８がそれぞれ設けられている。また、各マイクロチューブ本体群収納溝１５の幅方向の一方の側壁１７ａには、蓋付きマイクロチューブ群１の一部の隣接する蓋体６の間に挿入して蓋付きマイクロチューブ群の位置決めをする位置決め部２０が複数設けられ、そして、他方の側壁１７ｂには、蓋付きマイクロチューブ群１の一部の隣接する突出片１１の間に挿入して蓋付きマイクロチューブ群の位置決めをする位置決め部１９が複数設けられている。各位置決め部１９，２０は、各マイクロチューブ本体群収納溝１５の長さ方向に位置をずらせて設けられている。
【００３０】
また、立ち上がり周壁部１４には、上下に前記トレイを重ねて下側の前記トレイの上面を嵌める嵌め合わせ部２１が設けられている。本例の嵌め合わせ部２１は、立ち上がり周壁部１４の下端から水平に周方向に沿って張り出した張り出し部２２と立ち上がり周壁部１４の長手方向の側壁に設けられた凸部２３とで構成されている。
【００３１】
このような構成の蓋付きマイクロチューブ群格納トレイ１２には、蓋付きマイクロチューブ群１を図５乃至図８に示すようにして格納する。詳細には、各マイクロチューブ本体群収納溝１５には蓋付きマイクロチューブ群１の各マイクロチューブ本体２を収容して各マイクロチューブ本体２の底部を各マイクロチューブ本体群収納溝１５の底部に当接させ、各蓋体６を各蓋支え段面１６の上に載せ、各突出片１１を各マイクロチューブ本体群収納溝１５の側壁１７ｂに当て、また、各マイクロチューブ本体群収納溝１５の幅方向の一方の側壁１７ａに設けられている位置決め部２０を蓋付きマイクロチューブ群１の一部の隣接する蓋体６の間に挿入し、そして、他方の側壁１７ｂに設けられている位置決め部１９を蓋付きマイクロチューブ群１の一部の隣接する突出片１１の間に挿入して、蓋付きマイクロチューブ群１を蓋付きマイクロチューブ群格納トレイ１２に格納する。
このようにすることにより、蓋付きマイクロチューブ群１を蓋付きマイクロチューブ群格納トレイ１２に容易に且つ安定した状態で且つ整然と格納することができる。
【００３２】
そして、蓋付きマイクロチューブ群格納トレイ１２から蓋付きマイクロチューブ群１を取り出すには、その蓋付きマイクロチューブ群１を格納しているマイクロチューブ本体群収納溝１５の各溝壁１７の頂部１７ｃに設けられている取り出し凹部１８に指を入れて、取り出し凹部１８にに位置する突出片１１を上げることにより蓋付きマイクロチューブ群１を蓋付きマイクロチューブ群格納トレイ１２から容易に取り出すことができる。
【００３３】
また、蓋付きマイクロチューブ群格納トレイ１２の立ち上がり周壁部１４には、上下に前記トレイを重ねて下側の前記トレイの上面を嵌める嵌め合わせ部２１が設けられているので、蓋付きマイクロチューブ群１を格納した状態で、各蓋付きマイクロチューブ群格納トレイ１２を重ねて置くことができる。
【符号の説明】
【００３４】
１  蓋付きマイクロチューブ群
２  マイクロチューブ本体
３  開口部
４  フランジ部
５  接続片
５ａ  ヒンジ部
６  蓋体
７  蓋付きマイクロチューブ
８  連結片
９  開口部
１０  フランジ部
１１  突出片
１２  蓋付きマイクロチューブ群格納トレイ
１３  上面
１４  立ち上がり周壁部
１５  マイクロチューブ本体群収納溝
１６  蓋支え段面
１７  溝壁
１７ａ，１７ｂ  側壁
１７ｃ  頂部
１８  取り出し凹部
１９，２０  位置決め部
２１  嵌め合わせ部
２２  張り出し部
２３  凸部
【図１】
0003156819.tif 000003
【図２】
0003156819.tif 000004
【図３】
0003156819.tif 000005
【図４】
0003156819.tif 000006
【図５】
0003156819.tif 000007
【図６】
0003156819.tif 000008
【図７】
0003156819.tif 000009
【図８】
0003156819.tif 000010
【図９】
0003156819.tif 000011